(57)【要約】植物または球根（２）を包装および移送するための方法であって、球根または植物は底部品（４）に配置されるとともにカバー部品（６）により覆われ、カバー部品は球根または植物を少なくとも部分的に底部品内に押圧し、底部品は、根が前記底部品内においてまたは前記底部品から生長自在となるように構成され、カバー部品は、茎または植物が前記カバー部品内においてまたは前記カバー部品から生長自在となるように構成され、カバー部品を底部品上に保持する手段（７）が設けられる方法。
2005521607.tif 000002
【特許請求の範囲】
【請求項１】
植物または球根を包装および移送するための方法であって、
球根または植物は底部品に配置されるとともにカバー部品により覆われ、カバー部品は球根または植物を少なくとも部分的に底部品内に押圧し、
底部品は、根が前記底部品内においてまたは前記底部品から生長自在となるように構成され、カバー部品は、茎または植物が前記カバー部品内においてまたは前記カバー部品から生長自在となるように構成され、カバー部品を底部品上に保持する手段が設けられる
ことを特徴とする方法。
【請求項２】
複数の球根または植物が底部品とカバー部品との間に包装され、その後にダンボール箱のようなコンテナ内に収容される
ことを特徴とする請求項１に記載の方法。
【請求項３】
底部品および／またはカバー部品に、根または茎または植物用の開口が設けられる
ことを特徴とする請求項１または２に記載の方法。
【請求項４】
底部品および／またはカバー部品は分解可能な材料または生物分解可能な材料からなる
ことを特徴とする請求項１乃至３のいずれか一項に記載の方法。
【請求項５】
カバー部品および／または底部品はプラスチック、とりわけ発泡体、さらに詳しくはＥＰＳからなる
ことを特徴とする請求項１乃至４のいずれか一項に記載の方法。
【請求項６】
請求項１乃至５のいずれか一項に記載された方法において用いられる包装具。
【請求項７】
請求項６に記載の包装具の使用方法であって、包装具内に収容された球根とともに包装具を植えつけ場所に埋め込むことを特徴とする方法。
【発明の詳細な説明】
【発明の概要】
【０００１】
本発明は、植物または球根を包装および移送する方法、およびそのような方法において使用するための包装具に関する。さらに詳しくは、本発明は、既に根および／または首（a neck）および／または茎が既に伸び出た、あるいは根および／または首および／または茎が伸び出ようとしている球根を、包装および移送する方法に関する。
【０００２】
ある場所で球根を育て、球根がさらに生長および開花し得る次の場所へ球根を移すことが知られている。とりわけ球根または植物が生長し始めている場合において、移送中に遭遇する一つの問題は、移送中およびその後の取扱中において球根または植物が傷付けられることなく、さらに移送先において球根または植物がいずれの損傷ももたらされることなく容易に包装具から取り出され得るような方法で、球根または植物を包装および保護しなければならないことである。
【０００３】
本発明の目的は、球根または球根から生長した植物を包装する方法であって、球根または植物が準備、保管、移送、および展示と同時に生長にも適した状態で保持される方法を提供することである。
【０００４】
本発明の他の目的は、上述されたような方法であって、球根または植物の準備および初期発育段階が、これらの球根または植物の終期生長および開花段階から、適切な時期および場所において分離され得る方法を提供することである。
【０００５】
本発明の他の目的は、上述されたような方法であって、複数の球根および／または植物が一つの包装具に収容されおよび移送され得る方法を提供することである。
【０００６】
本発明のさらに他の目的は、球根または植物を包装する方法であって、前記球根および植物が十分安定して保持され、これにより、移送およびさらなる取扱中に球根または植物が不安定となり傷付けられることのない方法を提供することである。
【０００７】
本発明の他の目的は、球根または植物を包装する方法であって、球根および植物が所定位置に保持され、首および／または茎を生長させることが可能である方法を提供することである。
【０００８】
本発明のさらなる他の目的は、準備、保管、移送、および展示用の包装具であって、包装具内において首および／または茎が最終的な製品品質（the final product-performance）を害することなく生長することができる包装具を提供することである。
【０００９】
本発明の他の目的は、上述した包装具であって、製造するのに比較的高価でなく魅力的な外観を有する包装具を提供することである。
【００１０】
本発明の他の目的は、最終的な移送先において、少なくとも部分的に取り外され得る包装具を提供することである。
【００１１】
本発明のさらに他の目的は、球根または植物あるいは各球根または各植物を、それら、とりわけそれらの根を傷付けてしまうことなく容易に取り出すことができる包装具を提供することである。
【００１２】
これら、並びに他の目的および利点は請求項１による方法によって達成される。
【００１３】
本発明による方法によれば、球根は底部品とカバー部品との間に挟まれる。底部品とカバー部品とは、例えばストラップ、テープまたは伸縮性バンドのような適切な閉鎖手段により互いに向けて押圧される。したがって、球根は移動しないようにして適切な位置に固定され、移送中およびさらなる取扱中に生じ得る外力および衝撃から、効果的に保護される。底部品およびカバー部品は、球根が根および／または茎および／または首を生長させることができるように構成される。そして、これらの生長部分用に十分な空間が設けられ、これにより、初期の発芽段階から、地面に埋め込まれる準備が整う最終的な植え込み段階まで発育することができる。
【００１４】
本発明はさらに、本発明による方法の使用に適した請求項６による包装具に関する。
【発明を実施するための形態】
【００１５】
本発明を説明するため、本発明による方法および包装具の例示的な実施の形態が添付図面を参照しながら以下に記載される。
【００１６】
図１は、取引先または最終的な育成場所へ移送するため、段ボール箱３に部分的に収納されるとともに球根または植物２で満たされた包装具１を示している。植物２は、根茎、あるいはチューリップ、スイセン、アマリリスのような球根、その他同種類のものから育成されたものでもよい。包装具１は、例えば、伸縮性ストラップ、または密閉ストラップ（sealed strap）、または粘着テープのような閉鎖手段７によって一緒に保持される底部品４と、カバー部品６とを備えている。底部品４は略矩形状を有し、例えば、ボール紙、張り子材料、またはプラスチック材料、とりわけ、例えばＥ．Ｐ．Ｓのような発泡体、またはこれらの材料の組み合わせのような、様々な材料から製造され得る。
【００１７】
図７に示されているように、底部品４には２列に配置された円錐台上の穴１０が設けられている。穴１０は底部品４の少なくとも１つの表面１２から接近できるようになっており、この表面１２は使用中においてカバー部品６に対面する。以下に説明する理由のため、穴１０は、例えば（図７に示しているような）開口１５、あるいは弱くて貫通しやすい領域または取り外し自在な領域により、反対側の表面１４からも接近可能となっていることが好ましい。カバー部品６は、図１乃至３の実施の形態のおいて示されているように、底部品４と同一となっている。以下に明らかにされる理由のため、カバー部品６の上表面１６に、底部品４について記載されたものと類似の開口または弱所１５が設けられていることが好ましい。
【００１８】
包装具１は以下のようにして用いられ得る。移送されるべき球根または植物２は、底部品４の上部あるいは少なくとも部分的に穴１０内に配置され得る。球根または植物２の配置に先立って、穴１０は土または適切な代用品のような育成媒体で満たされ、これにより、図７に示すように、その中で球根または植物２が根２０を育成することができる発根カップ１０がもたらされる。その後、球根または植物２はカバー部品６を被せることにより適切な位置に固定される。カバー部品６は、上述した閉鎖手段７により底部品４上に堅固に押圧され得る。穴１０はカバー部品６内において球根または植物２が茎および／または首（neck）１８生長させることを可能とすると同時に、この茎または首１８を支持および有害な外部の影響から保護する。カバー部品６の上表面１６における開口１５または弱所は、包装具１外において、球根または植物２の茎または首１８が制約されずに生長することを可能にする。これは特別な利点であり、最終的な移送先に到着した後に、球根２をその周囲にある包装具１とともに地面に植え込むことができる。
【００１９】
図７はカバー部品６’の代わりの実施の形態を示す。この実施の形態において、カバー部品６’は、例えばボール紙またはプラスチック材料からなる一体物のシートにより形成される。本実施の形態において、球根２が底部品４内に配置された後、シート６’で底部品４の上表面１２の周囲を容易に包み、これにより、球根２は覆われる。その後、シート６’は、例えば釘または接着剤により、底部品４の側部に取り付けられる。先の実施の形態と同様に、カバー部品６’には開口１５’が設けられ、あるいは弱い材料から形成されていることが好ましい。弱い材料は、植物または球根２の生長中および準備中、生長部分（the growing shoot）１８の圧力により開放され、生長部分１８のための空間を提供する。
【００２０】
上述したようにして球根２が底部品４およびカバー部品６内に梱包された後、さらなる発送のため、図１，８および９に示すように、包装具１は普通の段ボール箱３内に配置されてもよい。最終的な移送先に到着すると、包装具１は箱３から取り出され、カバー部品６またはカバー部品６’が持ち上げられる。次に、図５および６に示すように、指または鉛筆状の棒のようなある種の道具を開口または弱所１５を介して底部品４内に延ばし入れて、球根を穴１０から上方に押し出すことにより、球根２が根を荒らされることなく底部品４から取り出される。その後、図４に示されているのと同様の球根または植物２が最終的な植え込み環境内に植えつけられる。
【００２１】
代わりとして、球根を最終的な育成場所に植えつける際に、包装具１が球根２の周囲に残されたままにしてもよい。この場合、一方において輸送中に土と根２０とを適切な位置に保つことができるように強く、他方においていったん球根が最終的な育成場所に植えつけられると根２０と茎１８との生長を可能とするような適切な材料により、底部品４およびカバー部品６は製造されるべきである。
【００２２】
好ましい実施の形態において、少なくとも底部品４は、そして好ましくは、同様にカバー部品６も、分解可能な材料または生物分解可能な材料からなる。この場合、最終的な移送先に到着した後、植物または球根は、この包装具１のいずれの部品も取り外されることなく包装具１内に入ったまま土の中に配置される。包装具１または包装具の部品を取り外す必要がないので、多大な時間を省くことができ、またさらに取扱中に傷付けてしまうことをより防止することができる。
【００２３】
このように、本発明による包装具１は球根または植物を、初期発育段階から、保管中、展示中、移送中、そして最終的な生長および開花段階まで、効果的に保持および保護することができる。最終的な生長および開花段階において、包装具は取り外され、あるいは球根が最終的な生長場所に埋め込まれる一方でその周囲に取り残されたままとなる。
【００２４】
好ましくは、本発明による包装具は略ブロック形状からなり、これにより、簡単な方法で製造され、また積み重ねられ、最低限の空間のみを必要とする。
【００２５】
外部包装具、とりわけ閉鎖された外側包装具を使用することにより、箱が閉鎖され、土およびその他同種類のものがそこから流出しないという利点が得られる。結果として、包装具は、例えば通信販売会社およびスーパーマーケットで用いる場合とりわけ適している。本発明によるカバー部品は、使用において、球根を底部品に向けて押圧し、かつ球根および茎、少なくとも包装具内においてそれから生長した植物に保護を与えるように設計されることが好ましい。一方で、包装具は積み重ね可能であることが好ましい。本発明による方法および包装具により、球根が例えば損傷および脱水からよく保護され、これにより、簡易な方法により、それから生長した植物および花が、その最後に適していなかっただろう領域において開花することを可能とすることが明らかになった。
【００２６】
本発明は記載された実施の形態に限定されるものではない。例えば、底部品４およびカバー部品６の寸法、そこに設けられる穴１０の数、これらの穴１０の配置、およびその形状を変更することができる。形状は、例えば、円筒形状、矩形状、あるいはピラミッド形状でもよい。同様に、部品は、ボール紙、張り子材料、またはプラスチックにような様々な材料および様々な材料の組み合わせから構成することができる。
【図面の簡単な説明】
【００２７】
【図１】包装具内の球根を段ボール箱に入れる途中を示す図。
【図２】カバー部品の上側から包装具を示す図。
【図３】側方から包装具を示す図。
【図４】本発明による包装具内で生長した球根を示す図。
【図５】底部品内おいて開口を介して押し出されようとしている球根とともに、底部品を示す図。
【図６】球根と、根および茎が伸び出て開放された球根とともに、底部品を示す図。
【図７】本発明による包装方法および生長過程の概略を示す上面図および側面図。
【図８】本発明による包装具の荷姿を示す図。
【図９】本発明による包装具の荷姿を示す図。
【図１】
2005521607.tif 000003
【図２】
2005521607.tif 000004
【図３】
2005521607.tif 000005
【図４】
2005521607.tif 000006
【図５】
2005521607.tif 000007
【図６】
2005521607.tif 000008
【図７】
2005521607.tif 000009
【図８】
2005521607.tif 000010
【図９】
2005521607.tif 000011
【国際調査報告】
2005521607.tif 000012
2005521607.tif 000013
2005521607.tif 000014